(57)【特許請求の範囲】
【請求項１】
水通過用孔を有する４つの側壁から内部に空間部を有する中空の矩形状に形成され上下端面に前記空間部が開放された多数のプレキャストコンクリートブロックが設けられ、
前記多数のプレキャストコンクリートブロックが、その上下端面を上下方向に向け、かつ、隣接するプレキャストコンクリートブロックの側壁が合わされ河川や湖沼の水際に沿って並べられたプレキャストコンクリートブロック列が構築され、
前記プレキャストコンクリートブロック列の各プレキャストコンクリートブロックの前記空間部に礫や土が詰められ、
前記プレキャストコンクリートブロック列は、そのプレキャストコンクリートブロックの上端面が河川や湖沼の水面よりも高く、かつ、水面が側壁上に位置するように設置され、
更に、プレキャストコンクリートブロック列における河川や湖沼とは離れた縁部に沿って、汚水が流入される流水溝が設けられ、
前記流水溝は、該流水溝内の汚水が前記プレキャストコンクリートブロック列の上端面に流出するように構成されている、
ことを特徴とする護岸構造。
【請求項２】
前記流水溝には河川や湖沼の水がポンプにより供給される請求項１記載の護岸構造。
【請求項３】
前記プレキャストコンクリートブロック列は、水際の延在方向と直交する方向に並べて複数設けられ、各プレキャストコンクリートブロック列の上端面は、河川や湖沼に位置するプレキャストコンクリートブロック列ほど低くなるように設定され、河川や湖沼とは離れた側のプレキャストコンクリートブロック列の上端面が河川や湖沼の水面よりも高く、かつ、水面が、何れかのプレキャストコンクリートブロック列を構成するプレキャストコンクリートブロックの側壁に臨むように設置されている請求項１または２記載の護岸構造。
【請求項４】
前記プレキャストコンクリートブロック列は、河川や湖沼に臨むプレキャストコンクリートブロックの側壁の外面が同一の鉛直面上に位置するように上下方向に積み重ねられることで構成されている請求項１、２または３記載の護岸構造。
【発明の詳細な説明】
【０００１】
【発明の属する技術分野】
本発明は、河川や湖沼等の護岸に用いられる護岸構造に関する。
【０００２】
【従来の技術】
従来の護岸構造では、河川や湖沼等の護岸の全面または水と接触する部分がシートパイル・鋼管やコンクリート・コンクリートブロック等で施工されている。また、水と接触しない部分だけ、コンクリートブロックを組み合わせて緑化したり、コンクリート護岸の表面に石材張りしている場合もある。
そして、このような護岸構造により、護岸強度の確保と侵食の防止、水面より上の景観を確保するようにしている。
一方、河川や湖沼等には、下水２次処理水、雑排水等が流入されるが、従来の護岸構造はこのような汚水を浄化する構造物として機能しておらず、上述のように護岸構造物としてしか機能していない。
【０００３】
【発明が解決しようとする課題】
従って、従来の護岸構造では、河川や湖沼等における生物の多様性の喪失を招くとともに、水質浄化機能の低下等を招くという問題があった。
そこで本発明の目的は、護岸機能と共に水浄化機能を備え、河川や湖沼等における多様な生物の棲息を可能とし、また、水質浄化に貢献できるようにした護岸構造を提供することにある。
【０００４】
【課題を解決するための手段】
前記目的を達成するため本発明に係る護岸構造は、水通過用孔を有する４つの側壁から内部に空間部を有する中空の矩形状に形成され上下端面に前記空間部が開放された多数のプレキャストコンクリートブロックが設けられ、前記多数のプレキャストコンクリートブロックが、その上下端面を上下方向に向け、かつ、隣接するプレキャストコンクリートブロックの側壁が合わされ河川や湖沼の水際に沿って並べられたプレキャストコンクリートブロック列が構築され、前記プレキャストコンクリートブロック列の各プレキャストコンクリートブロックの前記空間部に礫や土が詰められ、前記プレキャストコンクリートブロック列は、そのプレキャストコンクリートブロックの上端面が河川や湖沼の水面よりも高く、かつ、水面が側壁上に位置するように設置され、更に、プレキャストコンクリートブロック列における河川や湖沼とは離れた縁部に沿って、汚水が流入される流水溝が設けられ、前記流水溝は、該流水溝内の汚水が前記プレキャストコンクリートブロック列の上端面に流出するように構成されていることを特徴とする。
【０００５】
また、本発明に係る護岸構造は、前記流水溝には河川や湖沼の水がポンプにより供給されることを特徴とする。
また、本発明は、前記プレキャストコンクリートブロック列が、水際の延在方向と直交する方向に並べて複数設けられ、各プレキャストコンクリートブロック列の上端面は、河川や湖沼に位置するプレキャストコンクリートブロック列ほど低くなるように設定され、河川や湖沼とは離れた側のプレキャストコンクリートブロック列の上端面が河川や湖沼の水面よりも高く、かつ、水面が、何れかのプレキャストコンクリートブロック列を構成するプレキャストコンクリートブロックの側壁上に位置するように設置されていることを特徴とする。
また、本発明は、前記プレキャストコンクリートブロック列が、河川や湖沼に臨むプレキャストコンクリートブロックの側壁の外面が同一の鉛直面上に位置するように上下方向に積み重ねられることで構成されていることを特徴とする。
【０００６】
本発明に係る護岸構造においては、内部に礫や土を収容したプレキャストコンクリートブロックによりプレキャストコンクリートブロック列を構築するので、合理的な施工を可能とし、また、護岸構造物として機能する。
また、汚水が流水溝からプレキャストコンクリートブロックの内部の礫や土に流出されるので、水の浄化を行うことができ、さらに、プレキャストコンクリートブロックの上端面の開口部から水生植物を植えたり、また、水生微小動物の生息場所とすることもでき、生態系の保全や景観の向上が図れる。
【０００７】
【発明の実施の形態】
次に、本発明による護岸構造の実施例について説明する。
図１は本発明による護岸構造の第１実施例の断面図、図２は護岸構造を適用した岸壁部の概要を示す平面図、図３は護岸構造に用いるＰＣブロックの斜視図である。
この護岸構造に用いるプレキャストコンクリートブロック１０（以下ＰＣブロックと言う）は、図３に示すように、ほぼ長方形の箱形に形成されており、内部に空間部１２を有すると共に、上下両端面には開口部１０Ａ、１０Ｂが形成され、四つの側壁１０Ｃには水通過用孔（不図示）が複数貫設されている。
このＰＣブロック１０の空間部１２には、礫や土等を適宜の分量に混合した充填物８が充填される。尚、充填物８の内容は、このＰＣブロック１０に水生植物を植えるか否かや設置場所等の条件に応じて最適なものを選択する。
【０００８】
また、ＰＣブロック１０が水に接する面には、透水性コンクリートや多孔質コンクリートにより形成された透水板２０が取着され、ＰＣブロック１０の外観性が高められている。そして、ＰＣブロック１０を河川や湖沼の水際に設置した際に、ＰＣブロック１０の外部と空間部１２との間で水が流通できるようになっている。
【０００９】
上述のようなＰＣブロック１０を河川や湖沼の水際に設置する場合、階段状とした基礎を河川や湖沼の水際に沿って延在形成し、水際に沿って延在する各段面にベース板１１Ａ〜１１Ｃを配置する。
そして、これらベース板１１Ａ〜１１Ｃ上に多数のＰＣブロック１０を設置し、詳細には、上段に配置されるＰＣブロック１０の河川や湖沼に臨む側壁１０Ｃが、下段に配置されるＰＣブロック１０の陸側に臨む側壁１０Ｃ上に位置するような構造で設置される。
これにより、多数のＰＣブロック１０が、その上下端面を上下方向に向け、かつ、隣接するＰＣブロック１０の側壁１０Ｃが合わされ河川や湖沼の水際に沿って延在するプレキャストコンクリートブロック列（以下ＰＣブロック列という）１４Ａがベース板１１Ａ上に構築される。
同様に、ＰＣブロック列１４Ｂがベース板１１Ｂ上に構築され、ＰＣブロック列１４Ｃがベース板１１Ｃ上に構築され、ＰＣブロック列１４Ａ〜１４Ｃは水際の延在方向と直交する方向に並べられて構築される。
【００１０】
ＰＣブロック列１４Ａ〜１４Ｃの上端面は、河川や湖沼側に位置するＰＣブロック列１４Ｃが低く、河川や湖沼とは離れた側のＰＣブロック列１４Ａの上端面が河川や湖沼の水面よりも高く、かつ、水面が、何れかのＰＣブロック列１４Ａ〜１４Ｃを構成するＰＣブロック１０の側壁１０Ｃ（詳細には透水板２０）に臨むように設置されている。
なお、ＰＣブロック列１４Ａ〜１４Ｃを構成する各ＰＣブロック１０ならびにベース板１１の間は、間詰めコンクリート、ボルト、構造用鋼線等によって固定できる構造となっており、これらの固定手段により相互に固定されるとともに、水際に強固に組み付けられている。
【００１１】
水面の位置は、実施例では、図１に示すように、ＨＷＬ、ＭＷＬ、ＬＷＬにわたって変位するものであり、図示の例では、最も高いＨＷＬで、最上段のＰＣブロック列１４Ａの上端部近傍まで水没する。
また、最も低いＬＷＬで、最下段のＰＣブロック列１４Ｃの上端部近傍まで水位が下がり、上段のＰＣブロック列１４Ａ、１４Ｂが完全に水上に露呈する。
また、このようなＰＣブロック列１４Ａ〜１４Ｃには、それぞれ水生植物２２が植えられている。尚、上述のように、各段のＰＣブロック列１４Ａ〜１４Ｃにおいて水没時間が異なるため、水生植物の性質に応じて、下側のＰＣブロック列１４Ｃには、水没状態を好む植物を植え、上側のＰＣブロック列１４Ａには、比較的乾燥状態を好む水生植物や陸上植物を植えるようにする。
【００１２】
更に、最上段のＰＣブロック列１４Ａの河川や湖沼とは離れた側の縁部に沿って、汚水が流入される流水溝１６が延在形成されている。
流水溝１６には、図２に示すように、流水路１８から汚水が供給され、流水溝１６は、該流水溝１６内の汚水があふれてＰＣブロック列１４Ａの上端面に流出するように構成されている。
そして、流水溝１６からあふれた汚水が、ＰＣブロック列１４Ａの内部を経て、あるいは、ＰＣブロック列１４Ａ、１４Ｂ、１４Ｃの内部を経て河川や湖沼等の中に流入するようになっている。尚、この場合の汚水としては、例えば汚濁河川水、下水２次処理水、雑排水等が挙げられる。
【００１３】
以上のような護岸構造では、水際に各ＰＣブロック列１４Ａ、１４Ｂ、１４Ｃが設置されるので、護岸強度が確保され、護岸構造物として有効に機能する。
また、流水溝１６からの汚水を各ＰＣブロック列１４Ａ、１４Ｂ、１４Ｃを通して河川や湖沼等に放出することができ、汚水の浄化を行うことができる。
すなわち、各ＰＣブロック列１４Ａ、１４Ｂ、１４Ｃ内の充填材や水生植物による栄養塩類の除去、有機物の礫間接触浄化、懸濁物質のろ過等により、汚水の浄化を有効に行うことができる。
また、ＰＣブロック列１４Ａ、１４Ｂ、１４Ｃに水生植物２２を植えたり、ＰＣブロック列１４Ａ、１４Ｂ、１４Ｃ内を水生微小動物の生息場所とすることができ、河川や湖沼等の水際の環境保全および美観の向上にも貢献できる。
特に本例では、ＰＣブロック列１４Ａ、１４Ｂ、１４Ｃを階段状に配置したことから、水生植物２２を植え込む面積や水生微小動物の生息領域を大きくとることができる。
【００１４】
図４は、本発明による護岸構造の第２実施例の断面図である。
第２実施例では、多数のＰＣブロック１０が水際に沿って水平方向に並べられ、かつ、河川や湖沼に臨むＰＣブロック１０の側壁１０Ｃの外面（詳細には透水板２０の表面）が同一の鉛直面上に位置するように上下方向に積み重ねられることで単一のＰＣブロック列１４Ｄが構築され、ＰＣブロック列１４Ｄの上端面に水生植物２２が植えられている。
そして、本例においても、ＰＣブロック列１４Ｄの河川や湖沼とは離れた側の縁部に沿って流水溝１６が延在形成され、流水溝１６からの汚水がＰＣブロック列１４Ｄの上端面に流出され、各ＰＣブロック１０の透水板２０を透して河川や湖沼等に放出され、汚水の浄化が行われる。
このような第２実施例によっても、護岸構造物として有効に機能し、また、汚水を浄化し、水際の環境保全および美観の向上にも貢献できる。
【００１５】
図５は、本発明による護岸構造の第３実施例の平面図である。
第１、第２実施例では、流水路１８からの汚水を流水溝１６からＰＣブロック列１４Ａ、１４Ｂ、１４Ｃに供給するようにしたが、第３実施例では、湖水内の環境水をポンプ２４によって上述した流水溝１６に供給し、流水溝１６からＰＣブロック列１４Ａ、１４Ｂ、１４Ｃに供給するようにしたものである。
このような第３実施例によれば、護岸構造物として有効に機能し、また、河川や湖沼の水を浄化し、水際の環境保全および美観の向上にも貢献できる。
尚、第１、第２実施例のように汚水を流水溝に供給する構成と、第３実施例のように環境水を流水溝に供給する構成とを併用するようにしてもよい。
更に、本発明は河川や湖沼に限定されず、海岸の護岸構造としても適用可能である。
【００１６】
【発明の効果】
以上説明したように、本発明に係る護岸構造では、水通過用孔を有する多数のプレキャストコンクリートブロックを、河川や湖沼の水際に沿って並べてプレキャストコンクリートブロック列を構築し、各プレキャストコンクリートブロックの内部に礫や土を詰め、プレキャストコンクリートブロック列の上端面に、流水溝から汚水を供給するようにした。
このため、護岸構造物として機能することは無論のこと、プレキャストコンクリートブロック列の内部で汚水を浄化して河川や湖沼に放出することができ、水の浄化を行うことができる。
また、プレキャストコンクリートブロック列に水生植物を植えたり、水生微小動物の生息場所とすることができ、生態系の保全や景観の向上を図ることができる。
また、均一形状のブロック体により施工でき、合理的な施工が可能となる。
【図面の簡単な説明】
【図１】本発明による護岸構造の一例を示す断面図である。
【図２】本発明の護岸構造を適用した岸壁部の一例を示す平面図である。
【図３】護岸構造に用いるプレキャストコンクリートブロックの斜視図である。
【図４】本発明による護岸構造の第２実施例の断面図である。
【図５】本発明による護岸構造の第３実施例の平面図である。
【符号の説明】
８  充填物
１０  プレキャストコンクリートブロック
１０Ａ、１０Ｂ  開口部
１０Ｃ  側壁
１１  ベース板
１２  空間部
１４Ａ、１４Ｂ、１４Ｃ  プレキャストコンクリートブロック列
１６  流水溝
１８  流水路
２０  透水板
２２  水生植物
２４  ポンプ
【図１】
0003739498.tif 000002
【図２】
0003739498.tif 000003
【図３】
0003739498.tif 000004
【図４】
0003739498.tif 000005
【図５】
0003739498.tif 000006